(57)【要約】【課題】廃棄処分する磁気記憶装置内の全ディスク上の記録データを簡易かつ短時間でデータ読み出し不能にできるディスク損傷機構付き磁気記憶装置を提供する。【解決手段】ディスク損傷機構付き磁気記憶装置の磁気ディスク１０３を回転させるモータ１０４を外部から回転力を機構１０８に与えることにより磁気ディスク１０３が回転すると同時に機構１１１を通じて回転力が機構１１０に伝達し、機構１０９が少しずつ回転することにより磁気ディスク損傷機構１０７が磁気ディスク面をまんべんなく物理的に損傷させる。【選択図】図１
2010040129.tif 000002
【特許請求の範囲】
【請求項１】
記録媒体である磁気ディスクを１枚以上有する磁気記憶装置において、磁気記憶装置内に磁気ディスク面を物理的に損傷させるアーム機構を有し、これにより磁気ディスク面を損傷させディスク上に記録されたデータを読み出し不能とさせる機構を有することを特徴とする磁気ディスク損傷機構付き磁気記憶装置。
【請求項２】
請求項１記載の磁気ディスク損傷機構付き磁気記憶装置において、当該磁気記憶装置が電気的に動作不可能な状態であっても外部から回転力を加えることにより磁気ディスクが回転しつつ磁気ディスク面を物理的に損傷させるアーム機構が作動し磁気ディスク面を損傷させディスク上に記録されたデータを読み出し不能とさせる機構を有することを特徴とする磁気ディスク損傷機構付き磁気記憶装置。
【請求項３】
請求項１記載の磁気ディスク損傷機構付き磁気記憶装置において、磁気ディスク面全体を物理的に損傷することが完了したことを認識することのできる機構を有することを特徴とする磁気ディスク損傷機構付き磁気記憶装置。
【発明の詳細な説明】
【技術分野】
【０００１】
本発明は、磁気記憶装置を廃棄処分する際の磁気ディスク上の記録データを読み出し不能にさせる技術に関する。
【背景技術】
【０００２】
近年のコンピュータには、コンピュータに内蔵または外付けのデータ記憶装置として、データ記録のための磁性体が塗布されたディスクを用いた磁気記憶装置が使用されている。コンピュータの故障や廃棄、あるいは外付け磁気記憶装置の故障や廃棄などに伴い、磁気記憶装置がコンピュータに搭載されたまま、あるいは単体で廃棄されることが生じる。この際に情報が漏洩しなよう記録データの消去が必要となるが、例えば磁気記憶装置の廃棄を他者（例えば金属処理業者）に委託したとき、委託先業者が磁気記憶装置を破砕処理せず中古販売業者などの第三者に横流しした場合、磁気記憶装置に記録された重要なデータ（例えば顧客情報や委託者の秘密情報）を他人が読み出して悪用もしくは一般公開されると磁気記憶装置を廃棄処分した者もしくは委託側の社会的信用の失墜になりかねない。このような事態にならないために、磁気記憶装置を破棄処分する前に磁気ディスクの全データ記憶領域に意味の無いランダムなデータや０データを数回上書きするソフトウェアを使用して、記録データの完全消去を行っている。しかし、この方法では近年、大容量化している磁気記憶装置において膨大な時間を要し、データ消去作業が時間的、費用的に大きな負担になりつつある。
【０００３】
また、磁気記憶装置に対し外部から穴を開けて物理的に破壊しようとする場合、強力なドリルを有するボール盤が必要であり、設備導入に多大な費用がかる上、ボール盤を安全に操作するには熟練技術が必要となる。
【０００４】
また、特許文献１で説明されているような磁気記憶装置内部にあらかじめ磁気ディスク面より硬い硬質粒を収納した硬質粒収納手段を用意し、これを外部などからの圧力により破損させ、硬質粒を磁気記憶装置の磁気ディスク上に撒布し、磁気ディスク面と磁気読み取りヘッドの隙間に入り込み磁気ディスクに押し当てられることによって硬質粒が磁気ディスク面だけでなく、状況によっては磁気読み取りヘッドにも物理的な損傷を与え、全ての磁気ディスク上の記録データを読み取り不可能にすることができるとあるが、この手法では対象となる磁気記憶装置の制御回路装置や磁気ディスクを回転させるモータなどが故障している場合、磁気ディスクそのものを電気的に回転動作させることが出来ないため特許文献１の方法によって磁気ディスク面を損傷させることは不可能である。
【０００５】
【特許文献１】特開２００６−２６０７２５号公報
【発明の開示】
【発明が解決しようとする課題】
【０００６】
本発明は磁気記憶装置を廃棄処分する際に、対象となる磁気記憶装置の制御回路装置や磁気ディスクを回転させるモーターなどが故障しており、電気的に磁気ディスクそのものを回転動作させることが出来ない状態であっても、磁気ディスク上の記録データを読み出し不可能にする手段を提供するものである。
【課題を解決するための手段】
【０００７】
対象となる磁気記憶装置の制御回路装置や磁気ディスクを回転させるモータなどが故障しており、磁気ディスクそのものを電気的に回転動作させることが出来ない磁気記憶装置であっても、磁気ディスク上の記録データを簡易かつ短時間でデータ読み出し不能にする手段として、磁気ディスク面に損傷を与えられるアーム機構を磁気記憶装置内に有し、磁気ディスクの回転軸に外部から回転力を与え磁気ディスクを回転させる機構を有し、この機構の回転力と連動して磁気ディスクに損傷を与えるアームが磁気ディスク面全体をまんべんなく損傷させる機構を有する構成とする。
【発明の効果】
【０００８】
本発明によれば、対象となる磁気記憶装置が通常動作可能、不可能にかかわらず、磁気ディスク上の記録データを簡易かつ短時間でデータ読み出し不可能にすることができる。
【発明を実施するための最良の形態】
【０００９】
以下、本発明の実施の形態について、図面を参照して説明する。
【実施例１】
【００１０】
図１は本発明の実施例である磁気ディスク損傷機構付き磁気記憶装置の概略構成を側面から示した図である。また、図２−１は図１に示した概略構成を上面から示した図である。これは磁気記憶装置の通常動作時を示している。図２−２は磁気ディスク面に損傷を与えている途中経過を示した図である。図２−３は磁気ディスク面全体に損傷を与えることが完了した状態を示した図である。
【００１１】
図１において、磁気ディスク損傷機構付き磁気記憶装置１０１は、カバーなどを含む装置枠の筐体１０２の内部に磁気記憶媒体である１枚以上の円盤状の磁気ディスク１０３と、磁気ディスク１０３を回転させるモータ１０４と、磁気ディスク１０３上に磁気記録データを磁気的に読み書きする磁気ヘッド１０５と、磁気ヘッド１０５の位置を機構的に操作するアクチュエータ１０６と、磁気ディスクを物理的に損傷させるための機構１０７と、磁気記憶装置の外部から回転力を与えることでモータ１０４を強制的に回転させ磁気ディスク１０３を回転させる磁気ディスク強制回転機構１０８と、磁気ディスクを物理的に損傷させる機構１０７を支える回転軸１０９と、回転軸１０９を少しずつ回転させる機構１１０と、回転軸１０９を回転させる機構１１０に磁気ディスク強制回転機構１０８の回転力を伝える回転力伝達機構１１１とを有する構成である。
【００１２】
磁気記憶装置の通常使用時は、磁気ディスクを物理的に損傷させる機構１０７は図２−１の２０１に示すような位置に退避した状態にある。
【００１３】
本発明による手法で磁気記憶装置を廃棄処分するとき、磁気ディスク面を損傷させ磁気ディスク上の記録データを読み取り不可能にするために、図１のモータ１０４に付随した機構１０８を例えばネジ回し用のドライバーなどの工具を用いて回転させる。これにより図１のモータ１０４が回転し、磁気ディスク１０３が回転する。加えて機構１０８で発生した回転力が図１の回転力伝達機構１１１を伝わり磁気ディスクを物理的に損傷させる機構１０７を支えている回転軸１０９を回転させる機構１１０へ伝わる。
【００１４】
図１の磁気ディスクを物理的に損傷させる機構１０７を支えている回転軸１０９は図２−１の２０１の位置にあった磁気ディスクを損傷させる機構１０７を図２−２の２０２で示すようにディスク外周部から内周部（中心軸）へ向けて少しずつ移動する。磁気ディスクを損傷させる機構１０７のアーム先端部に磁気ディスク面を損傷を与える部位２０３があり、図２−２の２０４の領域が示すように磁気ディスク面を徐々に損傷させていく。
【００１５】
磁気ディスクを損傷させる機構１０７が図２−３の２０５の位置で示すように磁気ディスクの中心軸２０６に接触すると磁気ディスクを損傷させる機構１０７のアームがこれ以上移動できなくなくなり、磁気ディスク強制回転機構１０８の回転を停止させる。これにより図２−３の２０７の領域が示すように磁気ディスク面全体の損傷が完了したことを知ることができる。
【図面の簡単な説明】
【００１６】
【図１】本発明の実施例の磁気ディスク損傷機構付き磁気記憶装置を側面から見た概念構成を示す図
【図２−１】本発明の装置を上面から概念構成と示す図（通常動作時）
【図２−２】本発明の装置を上面から概念構成と示す図（ディスク損傷動作途中時）
【図２−３】本発明の装置を上面から概念構成と示す図（ディスク損傷完了時）
【符号の説明】
【００１７】
１０１  磁気ディスク損傷機構付き磁気記憶装置
１０２  筐体
１０３  磁気ディスク
１０４  モータ
１０５  磁気ヘッド
１０６  アクチュエータ
１０７  磁気ディスク損傷機構
１０８  外部から強制的にモータを回転させる機構
１０９  １０７の機構を支える回転軸
１１０  １０９の機構を回転させる機構
１１１  １０８の機構から１１０の機構へ回転力を伝達する機構
２０１  通常使用時の磁気ディスク損傷機構の退避位置
２０２  磁気ディスク損傷動作中の機構１０７の位置
２０３  磁気ディスク面を損傷させる部位
２０４  損傷を受けた磁気ディスク面の領域
２０５  磁気ディスク損傷動作完了時の機構１０７の位置
２０６  磁気ディスク回転軸（モータ１０４）
２０７  ディスク面全体に損傷を受けた磁気ディスク
【図１】
2010040129.tif 000003
【図２−１】
2010040129.tif 000004
【図２−２】
2010040129.tif 000005
【図２−３】
2010040129.tif 000006